(57)【要約】【課題】利便性の高い寄付を実現すること。【解決手段】寄付支援装置は、寄付を行う支援者に関する情報を記憶する支援者記憶部と、寄付される受援者に関する情報を記憶する受援者記憶部と、受援者記憶部から寄付を受け取る受援対象者を特定する特定部と、受援対象者に対する寄付の寄付金額と寄付を継続的に行うか否かを示す継続有無とを受け付ける受付部と、受付部によって寄付金額及び継続有無が受け付けられた際に、継続有無に基づいて寄付金額の金銭を支援者から受援対象者に送金する旨の決済を行う決済部とを有する。【選択図】図３
2014021729.tif 000002
【特許請求の範囲】
【請求項１】
寄付を行う支援者に関する情報を記憶する支援者記憶部と、
寄付される受援者に関する情報を記憶する受援者記憶部と、
前記受援者記憶部に記憶されている受援者から、前記支援者から寄付を受け取る受援対象者を特定する特定部と、
前記受援対象者に対する寄付の寄付金額と、当該寄付を継続的に行うか否かを示す継続有無とを受け付ける受付部と、
前記受付部によって前記寄付金額及び前記継続有無が受け付けられた際に、当該継続有無に基づいて、当該寄付金額の金銭を前記支援者から前記受援対象者に送金する旨の決済を行う決済部と
を備えたことを特徴とする寄付支援装置。
【請求項２】
前記受付部によって受け付けられた寄付金額及び継続有無に基づいて、前記受援対象者に今後寄付される見込み金額を算出する算出部と、
前記算出部によって算出された見込み金額を前記受援対象者に出力する出力部と
をさらに備えたことを特徴とする請求項１に記載の寄付支援装置。
【請求項３】
前記受援者記憶部は、
前記受援者に関する情報として、当該受援者が寄付を受け取る目的である受援目的を記憶し、
前記算出部は、
前記受援者記憶部に記憶されている前記受援対象者に対応する受援目的に応じて、前記見込み金額を変動させる
ことを特徴とする請求項２に記載の寄付支援装置。
【請求項４】
前記支援者記憶部は、
前記支援者に関する情報として、当該支援者のユーザ属性を記憶し、
前記受援者記憶部は、
前記受援者に関する情報として、当該受援者のユーザ属性を記憶し、
前記算出部は、
前記支援者のユーザ属性又は前記受援者のユーザ属性に応じて、前記見込み金額を変動させる
ことを特徴とする請求項２又は３に記載の寄付支援装置。
【請求項５】
前記算出部は、
前記支援者のユーザ属性と、前記受援対象者のユーザ属性とに基づいて、当該支援者と当該受援対象者との相関を予測し、当該相関が高いほど前記見込み金額を高く算出する
ことを特徴とする請求項４に記載の寄付支援装置。
【請求項６】
前記算出部は、
前記受援対象者のユーザ属性に基づいて当該受援対象者の知名度を予測し、当該知名度が高いほど前記見込み金額を高く算出する
ことを特徴とする請求項４又は５に記載の寄付支援装置。
【請求項７】
前記特定部は、
前記支援者のユーザ属性と前記受援者のユーザ属性とに基づいて、当該支援者と当該受援者との相関を予測し、当該支援者との相関が高い受援者を前記受援対象者として特定する
ことを特徴とする請求項４〜６のいずれか一つに記載の寄付支援装置。
【請求項８】
前記受援者のユーザ属性に基づいて受援者間の相関を予測し、前記受援対象者との相関が高い他の受援者を前記受援者記憶部から検索する検索部をさらに備え、
前記出力部は、
前記検索部によって検索された受援者を前記受援対象者に出力する
ことを特徴とする請求項４〜７のいずれか一つに記載の寄付支援装置。
【請求項９】
前記支援者記憶部から前記受援対象者に紹介するための支援者を検索する検索部をさらに備え、
前記支援者記憶部は、
前記支援者に関する情報として、当該支援者によって過去に行われた寄付の履歴を記憶し、
前記受援者記憶部は、
前記受援者に関する情報として、当該受援者が過去に受け付けた寄付の履歴を記憶し、
前記検索部は、
前記受援対象者が過去の所定期間に寄付された寄付金額の実績よりも前記見込み金額の方が低い場合に、前記寄付金額の実績と前記見込み金額との差分の寄付金額を寄付する確度の高い支援者を前記支援者記憶部から検索し、
前記出力部は、
前記見込み金額とともに、前記検索部によって検索された支援者を出力する
ことを特徴とする請求項２〜７のいずれか一つに記載の寄付支援装置。
【請求項１０】
寄付支援装置が実行する寄付支援方法であって、
寄付を行う支援者から寄付される受援者に関する情報を記憶する受援者記憶部に記憶されている受援者から、前記支援者から寄付を受け取る受援対象者を特定する特定工程と、
前記受援対象者に対する寄付の寄付金額と、当該寄付を継続的に行うか否かを示す継続有無とを受け付ける受付工程と、
前記受付工程によって前記寄付金額及び前記継続有無が受け付けられた際に、当該継続有無に基づいて、当該寄付金額の金銭を前記支援者から前記受援対象者に送金する旨の決済を行う決済工程と
を含んだことを特徴とする寄付支援方法。
【請求項１１】
寄付を行う支援者から寄付される受援者に関する情報を記憶する受援者記憶部に記憶されている受援者から、前記支援者から寄付を受け取る受援対象者を特定する特定手順と、
前記受援対象者に対する寄付の寄付金額と、当該寄付を継続的に行うか否かを示す継続有無とを受け付ける受付手順と、
前記受付手順によって前記寄付金額及び前記継続有無が受け付けられた際に、当該継続有無に基づいて、当該寄付金額の金銭を前記支援者から前記受援対象者に送金する旨の決済を行う決済手順と
をコンピュータに実行させることを特徴とする寄付支援プログラム。
【発明の詳細な説明】
【技術分野】
【０００１】
本発明の実施形態は、寄付支援装置、寄付支援方法及び寄付支援プログラムに関する。
【背景技術】
【０００２】
従来、福祉施設や公益施設等に対して個人が金銭を無償で提供する寄付が行われている。このような寄付は、一般的に、個人が特定の福祉団体等に金銭を提供することにより行われる。近年では、インターネットをベースにした個人への寄付を可能にする寄付システムが提案されている（特許文献１を参照）。
【先行技術文献】
【特許文献】
【０００３】
【特許文献１】特開２０１１−２９５１号公報
【発明の概要】
【発明が解決しようとする課題】
【０００４】
しかしながら、上記従来の寄付システムは、利便性の高い寄付を実現できるとは限らなかった。例えば、上記従来の寄付システムでは、寄付者から受け取った寄付をストックし、ストックした寄付を被寄付者に受け渡すので、被寄付者が寄付を受け取るまでに時間がかかる。また、例えば、上記従来の寄付システムにおいて、寄付を受ける人は、どの程度の寄付金額を受け取ることができるかが不透明であるので、寄付を利用した今後の予定を検討すること等が困難であった。
【０００５】
本願の開示する技術は、上記に鑑みてなされたものであって、利便性の高い寄付を実現することができる寄付支援装置、寄付支援方法及び寄付支援プログラムを提供することを目的とする。
【課題を解決するための手段】
【０００６】
実施形態に係る寄付支援装置は、寄付を行う支援者に関する情報を記憶する支援者記憶部と、寄付される受援者に関する情報を記憶する受援者記憶部と、前記受援者記憶部に記憶されている受援者から、前記支援者から寄付を受け取る受援対象者を特定する特定部と、前記受援対象者に対する寄付の寄付金額と、当該寄付を継続的に行うか否かを示す継続有無とを受け付ける受付部と、前記受付部によって前記寄付金額及び前記継続有無が受け付けられた際に、当該継続有無に基づいて、当該寄付金額の金銭を前記支援者から前記受援対象者に送金する旨の決済を行う決済部とを備えることを特徴とする。
【発明の効果】
【０００７】
実施形態に係る寄付支援装置、寄付支援方法及び寄付支援プログラムは、利便性の高い寄付を実現することができるという効果を奏する。
【図面の簡単な説明】
【０００８】
【図１】図１は、第１の実施形態に係る寄付システムの構成例を示す図である。
【図２】図２は、第１の実施形態に係る寄付支援装置による寄付支援処理の一例を示す図である。
【図３】図３は、第１の実施形態に係る寄付支援装置の構成例を示す図である。
【図４】図４は、第１の実施形態に係る支援者記憶部の一例を示す図である。
【図５】図５は、第１の実施形態に係る受援者記憶部の一例を示す図である。
【図６】図６は、第１の実施形態に係る寄付記憶部の一例を示す図である。
【図７】図７は、第１の実施形態に係る各種画面例を示す図である。
【図８】図８は、第１の実施形態に係る各種画面例を示す図である。
【図９】図９は、第１の実施形態に係る各種画面例を示す図である。
【図１０】図１０は、第１の実施形態に係る各種画面例を示す図である。
【図１１】図１１は、第１の実施形態に係る各種画面例を示す図である。
【図１２】図１２は、第１の実施形態に係る各種画面例を示す図である。
【図１３】図１３は、第１の実施形態に係る各種画面例を示す図である。
【図１４】図１４は、第１の実施形態に係る寄付システムによる寄付処理手順を示すシーケンス図である。
【図１５】図１５は、第１の実施形態に係る寄付システムによる見込み金額算出処理手順を示すシーケンス図である。
【図１６】図１６は、第２の実施形態に係る寄付支援装置の構成例を示す図である。
【図１７】図１７は、第２の実施形態に係る各種画面例を示す図である。
【発明を実施するための形態】
【０００９】
以下に、本願に係る寄付支援装置、寄付支援方法及び寄付支援プログラムの実施形態を図面に基づいて詳細に説明する。なお、この実施形態により本願に係る寄付支援装置、寄付支援方法及び寄付支援プログラムが限定されるものではない。また、以下の各実施形態において同一の部位には同一の符号を付し、重複する説明は省略される。
【００１０】
（第１の実施形態）
［第１の実施形態に係る寄付システムの構成］
図１は、第１の実施形態に係る寄付システムの構成例を示す図である。図１に例示するように、第１の実施形態に係る寄付システム１には、支援者装置１０１〜１０ｍと、受援者装置２０１〜２０ｎと、寄付支援装置１００とが含まれる。支援者装置１０１〜１０ｍと寄付支援装置１００とは、図示しないネットワークを介して通信可能に接続される。同様に、受援者装置２０１〜２０ｎと寄付支援装置１００とは、ネットワークを介して通信可能に接続される。
【００１１】
支援者装置１０１〜１０ｍは、例えば、パーソナルコンピュータ（Personal  Computer）、携帯電話機、ＰＤＡ（Personal  Digital  Assistant）等の端末装置である。このような支援者装置１０１〜１０ｍは、他人に金銭等を寄付するユーザ（以下、「支援者」と表記する）によって利用される。かかる支援者は、例えば、個人、法人又は非営利団体等である。
【００１２】
受援者装置２０１〜２０ｎは、例えば、パーソナルコンピュータ、携帯電話機、ＰＤＡ等の端末装置である。このような受援者装置２０１〜２０ｎは、支援者から金銭等が寄付されるユーザ（以下、「受援者」と表記する）によって利用される。かかる受援者は、例えば、個人又は非営利団体等である。
【００１３】
寄付支援装置１００は、例えば、Ｗｅｂサーバ等のサーバ装置である。かかる寄付支援装置１００は、支援者及び受援者に関する情報を保持する。そして、寄付支援装置１００は、受援者に関する情報を支援者に表示して受援者を選択させる等して、かかる支援者から寄付される受援者（以下、「受援対象者」と表記する場合がある）を特定する。また、寄付支援装置１００は、受援対象者に対する寄付の寄付金額と、かかる寄付を継続的に行うか否かを示す継続有無とを支援者から受け付ける。そして、寄付支援装置１００は、支援者から寄付金額及び継続有無が受け付けられた際に、かかる継続有無に基づいて、かかる寄付金額の金銭を支援者から受援対象者に送金する旨の決済を即座に行う。
【００１４】
これにより、第１の実施形態に係る寄付支援装置１００は、支援者から寄付を希望する旨の要求を受け付けた際に決済処理を即座に行うので、支援者から受援者への寄付を迅速に行うことができる。また、寄付支援装置１００は、福祉団体等を介さずに寄付を実現するので、支援者から受援者への寄付を迅速に行うことができるとともに、送金先の透明性を確保することができる。
【００１５】
また、第１の実施形態に係る寄付支援装置１００を用いた場合、支援者は、自身の意思でえこひいきして選択した特定の受援対象者に対して、継続的な寄付を行うことができる。例えば、寄付支援装置１００に、手術のために寄付を求める受援者Ｂ１と、震災にあったために寄付を求める受援者Ｂ２と、プロスポーツ選手になるために寄付を求める受援者Ｂ３とが登録されているものとする。そして、支援者Ａ１は、病気の方を支援したいと考えているものとする。かかる場合には、支援者Ａ１は、寄付支援装置１００にアクセスして受援者Ｂ１を選択することにより、受援者Ｂ１に継続的な寄付を行うことができる。
【００１６】
このように、第１の実施形態に係る寄付支援装置１００は、支援者及び受援者にとって利便性が高く、かつ、透明性が高い寄付を実現することができる。
【００１７】
また、第１の実施形態に係る寄付支援装置１００は、支援者から受け付けた寄付金額及び継続有無に基づいて、受援対象者に今後寄付される見込み金額を算出し、算出した見込み金額を出力する。例えば、寄付支援装置１００は、見込み金額を受援者装置２０１〜２０ｎに送信することにより、受援者装置２０１〜２０ｎの表示部（液晶ディスプレイ等）に見込み金額を表示させる。この点について、図２を用いて説明する。図２は、第１の実施形態に係る寄付支援装置１００による寄付支援処理の一例を示す図である。
【００１８】
図２に示した例において、支援者Ａ１０１は、受援者Ｂ２０１に寄付金額「１０００円」を１回のみ寄付する。また、支援者Ａ１０２は、受援者Ｂ２０１に「８００円」を毎月寄付し、受援者Ｂ２０２に「２００円」を１回だけ寄付する。支援者Ａ１０３〜Ａ１０５についても、受援者Ｂ２０２及びＢ２０２に対して、図示した寄付金額の金銭を１回又は毎月寄付する。
【００１９】
このような例において、寄付支援装置１００は、各受援者に翌月に寄付される見込み金額を算出する。例えば、受援者Ｂ２０１は、支援者Ａ１０２から「８００円」が毎月寄付される。このため、寄付支援装置１００は、受援者Ｂ２０１に翌月寄付される見込み金額として「８００円」を算出する。また、受援者Ｂ２０２は、支援者Ａ１０３から「１２００円」が毎月寄付されるとともに、支援者Ａ１０４から「３０００円」が毎月寄付される。このため、寄付支援装置１００は、受援者Ｂ２０２に翌月寄付される見込み金額として「４２００円」を算出する。同様に、寄付支援装置１００は、受援者Ｂ２０３に翌月寄付される見込み金額として「４０００円」を算出する。
【００２０】
そして、寄付支援装置１００は、このように算出した見込み金額を受援者Ｂ２０１〜Ｂ２０３に出力する。すなわち、寄付支援装置１００は、翌月に寄付される寄付金額を受援者Ｂ２０１〜Ｂ２０３に認識させることができる。このため、受援者Ｂ２０１〜Ｂ２０３は、今後の予定を安心して検討することができる。例えば、受援者Ｂ２０１は、手術のために寄付を希望している場合に、見込み金額を確認することで、翌月に手術を行えるか否かを検討することができる。このように、第１の実施形態に係る寄付支援装置１００は、受援者にとってより利便性の高い寄付を実現することができる。
【００２１】
［第１の実施形態に係る寄付支援装置の構成］
次に、上述してきた寄付支援装置１００の構成について説明する。なお、以下では、支援者装置１０１〜１０ｍを区別する必要がない場合には、これらを総称して「支援者装置１０」と表記する場合がある。また、受援者装置２０１〜２０ｎを区別する必要がない場合には、これらを総称して「受援者装置２０」と表記する場合がある。
【００２２】
図３は、第１の実施形態に係る寄付支援装置１００の構成例を示す図である。図３に例示するように、寄付支援装置１００は、ＩＦ（interface）部１１０と、支援者記憶部１２１と、受援者記憶部１２２と、寄付記憶部１２３と、Ｗｅｂ制御部１３０と、決済部１４０とを有する。なお、寄付支援装置１００は、ユーザから各種操作を受け付ける入力部や、各種情報を表示するための表示部を有してもよい。
【００２３】
ＩＦ部１１０は、支援者装置１０や受援者装置２０との間で各種データを送受信する。例えば、ＩＦ部１１０は、ＮＩＣ（Network  Interface  Card）等によって実現される。
【００２４】
支援者記憶部１２１は、支援者に関する情報を記憶する。受援者記憶部１２２は、受援者に関する情報を記憶する。寄付記憶部１２３は、寄付が行われる支援者と受援者との関係を記憶する。このような支援者記憶部１２１、受援者記憶部１２２及び寄付記憶部１２３は、例えば、ＲＡＭ（Random  Access  Memory)、フラッシュメモリ（Flash  Memory）等の半導体メモリ素子、又は、ハードディスク、光ディスク等によって実現される。
【００２５】
図４は、第１の実施形態に係る支援者記憶部１２１の一例を示す図である。図４に例示するように、支援者記憶部１２１は、「支援者ＩＤ」、「パスワード」、「氏名」、「性別」、「生年月日」、「住所」、「出金口座」、「支援目的」といった項目を有する。
【００２６】
「支援者ＩＤ」は、支援者を識別するための識別子を示す。「パスワード」は、支援者が寄付支援装置１００を利用する際に用いるパスワードを示す。「氏名」は、支援者の氏名を示す。「性別」は、支援者の性別を示す。「生年月日」は、支援者の生年月日を示す。「住所」は、支援者の住所を示す。「出金口座」は、支援者が保持する銀行等の口座番号を示す。なお、支援者記憶部１２１は、「出金口座」の代わりに「クレジットカード番号」を記憶してもよい。「支援目的」は、支援者が寄付したいと考えている受援者に関する情報や、支援者が寄付を行う目的及び理由などを示す。例えば、図４では、支援者ＩＤ「Ａ００１」の支援者が、無名のスポーツ選手への寄付を希望していることを示している。
【００２７】
ここで、図４に示した「氏名」、「性別」、「生年月日」及び「住所」は、人口統計学的なユーザ情報を示すデモグラフィック属性に該当する。なお、支援者記憶部１２１は、図４に示した例に限られず、デモグラフィック属性として、支援者の「メールアドレス」、「電話番号」、「職業」、「収入」、「学歴」、「家族構成」、「出身地」等を記憶してもよい。また、支援者記憶部１２１は、支援者の「趣味」、「嗜好」、「性格」、「価値観」、「ライフスタイル」等のサイコグラフィック属性をユーザ属性として記憶してもよい。
【００２８】
図５は、第１の実施形態に係る受援者記憶部１２２の一例を示す図である。図５に例示するように、受援者記憶部１２２は、「受援者ＩＤ」、「パスワード」、「氏名」、「性別」、「生年月日」、「住所」、「入金口座」、「受援目的」といった項目を有する。
【００２９】
「受援者ＩＤ」は、受援者を識別するための識別子を示す。「パスワード」は、受援者が寄付支援装置１００を利用する際に用いるパスワードを示す。「氏名」は、受援者の氏名を示す。「性別」は、受援者の性別を示す。「生年月日」は、受援者の生年月日を示す。「住所」は、受援者の住所を示す。「入金口座」は、受援者が保持する銀行等の口座番号を示す。「受援目的」は、受援者が寄付を望む理由や、寄付された金銭の利用目的などを示す。例えば、図５では、受援者ＩＤ「Ｂ００１」の受援者が、支援者から寄付された金銭をマラソンのために利用することを示している。
【００３０】
ここで、図５に示した「氏名」、「性別」、「生年月日」及び「住所」は、受援者のユーザ属性を示す。なお、受援者記憶部１２２は、支援者記憶部１２１と同様に、受援者の「電話番号」、「職業」、「収入」、「学歴」、「家族構成」、「出身地」等のユーザ属性（デモグラフィック属性）や、受援者の「趣味」、「嗜好」、「性格」、「価値観」、「ライフスタイル」等を示すユーザ属性（サイコグラフィック属性）を記憶してもよい。
【００３１】
図６は、第１の実施形態に係る寄付記憶部１２３の一例を示す図である。図６に例示するように、寄付記憶部１２３は、「支援者ＩＤ」、「受援者ＩＤ」、「寄付金額」、「継続有無」、「有効無効」といった項目を有する。
【００３２】
「支援者ＩＤ」は、図４に示した支援者ＩＤに対応する。「受援者ＩＤ」は、図５に示した受援者ＩＤに対応し、「支援者ＩＤ」によって示される支援者から寄付される。「寄付金額」は、支援者から受援者に寄付される金額を示す。「継続有無」は、支援者による寄付が定期的に行われるか否かを示す。図６では、「継続有無」に「毎月１回」が記憶されている場合に、支援者による寄付が１ヶ月に１回のペースで行われることを示し、「継続有無」に「１回のみ」が記憶されている場合に、支援者による寄付が１回のみ行われることを示している。「有効無効」は、現時点において支援者から受援者への寄付が有効であるか否かを示す。
【００３３】
例えば、図６では、支援者ＩＤ「Ａ００１」の支援者が、受援者ＩＤ「Ｂ００１」の受援者に対して、１ヶ月に１回のペースで寄付金額「１０００円」を寄付することを示している。そして、図６では、かかる寄付が現時点において有効であることを示している。
【００３４】
また、例えば、図６では、支援者ＩＤ「Ａ００３」の支援者が、受援者ＩＤ「Ｂ００３」の受援者に対して、寄付金額「５０００００円」を１回のみ寄付することを示している。そして、図６では、かかる寄付が現時点において無効であることを示している。なお、寄付記憶部１２３の「有効無効」は、支援者によって寄付を停止する旨の操作が行われた場合や、継続有無が「１回のみ」である寄付が遂行された場合などに、「無効」となる。
【００３５】
図３の説明に戻って、Ｗｅｂ制御部１３０は、寄付支援装置１００をＷｅｂサーバとして動作させる制御部である。具体的には、Ｗｅｂ制御部１３０は、支援者装置１０や受援者装置２０から受信するＨＴＴＰ（Hypertext  Transfer  Protocol）リクエストに応じて、各種画面を構成するＨＴＭＬ（HyperText  Markup  Language）ファイルや、画像データ等をＩＦ部１１０経由で支援者装置１０や受援者装置２０に送信する。このようなＷｅｂ制御部１３０は、図３に例示するように、特定部１３１と、受付部１３２と、算出部１３３と、出力部１３４とを有する。
【００３６】
特定部１３１は、受援者記憶部１２２に記憶されている受援者の中から、支援者から寄付を受け取る受援対象者を特定する。受付部１３２は、受援対象者に対する寄付の寄付金額及び継続有無を受け付ける。算出部１３３は、寄付金額及び継続有無に基づいて、受援対象者に今後寄付される見込み金額を算出する。出力部１３４は、算出部１３３によって算出された見込み金額を出力する。また、決済部１４０は、受付部１３２によって受け付けられた寄付金額に相当する金銭を受援対象者に送金する。
【００３７】
以下、図７〜図１３に示した画面例を用いて、Ｗｅｂ制御部１３０及び決済部１４０による処理について説明する。図７〜図１３は、第１の実施形態に係る各種画面例を示す図である。なお、以下では、（１）特定部１３１、受付部１３２及び決済部１４０による寄付処理と、（２）算出部１３３及び出力部１３４による見込み金額算出処理とに分けて説明する。
【００３８】
（１）寄付処理
まず、Ｗｅｂ制御部１３０は、支援者装置１０又は受援者装置２０からアクセスされた場合に、図７に示したトップ画面Ｇ１０をアクセス元（支援者装置１０又は受援者装置２０）に送信する。例えば、寄付支援装置１００は、トップ画面Ｇ１０に対応するＨＴＭＬファイル等を送信する。これにより、支援者装置１０又は受援者装置２０は、トップ画面Ｇ１０をブラウザ等に表示する。以下、寄付支援装置１００が各種画面を送信する場合には、かかる画面に対応するＨＴＭＬファイルを送信するものとする。
【００３９】
図７に示すように、トップ画面Ｇ１０には、支援者入口ボタンＦ１１と、受援者入口ボタンＦ１２と、ジャンル別入口ボタンＦ１３〜Ｆ１６と、特集ボタンＦ１７及びＦ１８とが含まれる。なお、図７では、参照符号を図示することを省略したが、「ボランティア」、「復興支援」、・・・、「相撲」等もジャンル別入口ボタンに該当する。
【００４０】
Ｗｅｂ制御部１３０は、トップ画面Ｇ１０の支援者入口ボタンＦ１１が押下された場合に、図８に示したログイン画面Ｇ２０を送信する。図８に示すように、ログイン画面Ｇ２０には、支援者がユーザ登録を行うためのユーザ登録ボタンＦ２１と、ログインＩＤ（支援者ＩＤ）及びパスワードを入力するための入力欄Ｆ２２及びＦ２３と、トップ画面Ｇ１０に戻るための戻るボタンＦ２４と、ログインするためのログインボタンＦ２５とが含まれる。
【００４１】
そして、Ｗｅｂ制御部１３０は、ログイン画面Ｇ２０のユーザ登録ボタンＦ２１が押下された場合に、図９に示した支援者登録画面Ｇ３０を送信する。図９に示すように、支援者登録画面Ｇ３０には、支援者のユーザ情報を入力するための入力欄Ｆ３１〜Ｆ３７と、トップ画面Ｇ１０又はログイン画面Ｇ２０等に戻るための戻るボタンＦ３８と、ユーザ情報を登録するための登録ボタンＦ３９とが含まれる。Ｗｅｂ制御部１３０は、入力欄Ｆ３１〜Ｆ３７に各種情報が入力された後に、登録ボタンＦ３９が押下された場合に、入力された各種情報を支援者記憶部１２１に格納する。このとき、Ｗｅｂ制御部１３０は、支援者ＩＤを払い出し、ユーザ登録を行った支援者にかかる支援者ＩＤを通知する。
【００４２】
なお、支援者登録画面Ｇ３０には、入力欄Ｆ３１〜Ｆ３７以外の入力欄が含まれてもよい。例えば、支援者登録画面Ｇ３０には、「電話番号」、「職業」、「収入」、「学歴」、「家族構成」、「出身地」、「趣味」、「嗜好」、「性格」、「価値観」、「ライフスタイル」等を入力するための入力欄が含まれてもよい。
【００４３】
また、ここでは詳細な説明を省略するが、Ｗｅｂ制御部１３０は、図７に示したトップ画面Ｇ１０の受援者入口ボタンＦ１２が押下された場合に、図８に示した例と同様のログイン画面Ｇ２０を送信する。これにより、Ｗｅｂ制御部１３０は、受援者のユーザ登録処理やログイン処理を行う。
【００４４】
また、Ｗｅｂ制御部１３０は、図８に示したログイン画面Ｇ２０において支援者ＩＤ及びパスワードが入力された後にログインボタンＦ２５が押下された場合には、入力された支援者ＩＤ及びパスワードの組が支援者記憶部１２１に記憶されているか否かを判定する。そして、Ｗｅｂ制御部１３０の特定部１３１は、Ｗｅｂ制御部１３０によって支援者ＩＤ及びパスワードの組が支援者記憶部１２１に記憶されていると判定された場合に、図１０に示した受援者検索画面Ｇ４０を送信する。
【００４５】
図１０に示した受援者検索画面Ｇ４０は、支援者が受援対象者を検索するための画面である。図１０に示すように、受援者検索画面Ｇ４０には、年齢選択プルダウンＦ４１と、性別選択ボタンＦ４２と、ジャンル選択ボタンＦ４３と、表示順選択ボタンＦ４４と、戻るボタンＦ４５と、検索ボタンＦ４６とが含まれる。年齢選択プルダウンＦ４１は、受援者の年齢の範囲を限定するための入力項目である。性別選択ボタンＦ４２は、受援者の性別を限定するための入力項目である。ジャンル選択ボタンＦ４３は、受援者の受援目的を限定するための入力項目である。表示順選択ボタンＦ４４は、検索結果の表示順を選択するための入力項目である。
【００４６】
なお、受援者検索画面Ｇ４０に含まれる各種ボタンやプルダウンは、入力必須項目ではない。すなわち、支援者は、自身が限定した項目についてのみ各種ボタンやプルダウンを入力すればよい。また、受援者検索画面Ｇ４０には、図１０に示した入力項目以外の情報を入力するためのボタンやプルダウン等が含まれてもよい。例えば、受援者検索画面Ｇ４０には、受援者の住所（都道府県）を限定するための住所選択プルダウン等が含まれてもよい。
【００４７】
そして、特定部１３１は、受援者検索画面Ｇ４０において検索ボタンＦ４６が押下された場合に、図１１に示した検索結果画面Ｇ５０を送信する。具体的には、特定部１３１は、受援者検索画面Ｇ４０において入力された各種情報と合致する受援者を支援者記憶部１２１から検索し、検索した受援者の「氏名」、「性別」、「年齢」、「受援目的」等が表示される一覧Ｆ５１や、受援者検索画面Ｇ４０等に戻るための戻るボタンＦ５２が含まれる検索結果画面Ｇ５０を送信する。
【００４８】
図１１に示した例の場合、支援者は、「氏名」の欄に表示されている「受援者の氏名（「受援２１」など）」を押下することにより、受援対象者を選択することができる。また、支援者は、詳細の欄に記載の「選択」を押下することにより、かかる受援者に関するユーザ属性の詳細情報を閲覧することができる。
【００４９】
このようにして、特定部１３１は、検索結果画面Ｇ５０において支援者に選択された受援者を受援対象者として特定する。
【００５０】
続いて、受付部１３２は、検索結果画面Ｇ５０において受援対象者が特定された場合に、図１２に示した金額入力画面Ｇ６０を送信する。図１２に示すように、金額入力画面Ｇ６０には、寄付金額を入力するための入力欄Ｆ６１と、継続的に寄付を行うかを選択するための継続選択ボタンＦ６２と、受援者検索画面Ｇ４０等に戻るための戻るボタンＦ６３と、寄付金額及び継続有無を決定するための決定ボタンＦ６４とが含まれる。
【００５１】
そして、受付部１３２は、金額入力画面Ｇ６０において寄付金額及び継続有無が入力された後に決定ボタンＦ６４が押下された場合に、支援者の支援者ＩＤと、特定部１３１によって特定された受援対象者の受援者ＩＤと、金額入力画面Ｇ６０において入力された寄付金額及び継続有無と対応付けて寄付記憶部１２３に格納する。このとき、受付部１３２は、寄付記憶部１２３の有効無効には「有効」を格納する。
【００５２】
なお、金額入力画面Ｇ６０には、支援者から受援対象者へのコメントを入力するための入力欄が含まれてもよい。かかる場合に、受付部１３２は、金額入力画面Ｇ６０に入力されたコメントを寄付記憶部１２３に格納するとともに、かかるコメントを受援対象者に対して送信する。これにより、支援者は、「頑張ってください」といったコメントや、「金メダルを期待しています」といったコメントなどを受援者に送信することができる。
【００５３】
また、上記例において、Ｗｅｂ制御部１３０は、トップ画面Ｇ１０のジャンル別入口ボタンＦ１３〜Ｆ１６や特集ボタンＦ１７及びＦ１８のいずれかが押下された場合にも、ログイン画面Ｇ２０を送信する。そして、支援者がログインした場合に、特定部１３１は、受援者検索画面Ｇ４０を送信する。このとき、特定部１３１は、トップ画面Ｇ１０においてジャンルが選択されているので、受援者検索画面Ｇ４０にジャンル選択ボタンＦ４３を表示しなくてもよい。また、特定部１３１は、トップ画面Ｇ１０において選択されたジャンルを更に詳細に分別するジャンルを選択するためのジャンル選択ボタンＦ４３を受援者検索画面Ｇ４０に表示してもよい。
【００５４】
決済部１４０は、受付部１３２によって寄付金額及び継続有無が受け付けられた際に、支援者の出金口座から受援者の入金口座に寄付金額に対応する金銭を送金する決済処理を即座に行う。具体的には、決済部１４０は、支援者の出金口座から、本システム（寄付支援装置１００）の管理口座に寄付金額に対応する金銭を振り込む第１決済処理を行う。このとき、決済部１４０は、管理口座に寄付金額に対応する金銭が振り込まれたか否かを監視する。そして、決済部１４０は、管理口座に寄付金額に対応する金銭が振り込まれたことを検知した際に、かかる金銭を受援対象者の入金口座に振り込む第２決済処理を行う。
【００５５】
また、決済部１４０は、継続有無が「毎月１回」である場合には、１ヶ月に１回のペースで上述した決済処理を行う。また、決済部１４０は、継続有無が「１回のみ」である場合には、決済処理を行った後に、寄付記憶部１２３の有効無効を無効に更新する。
【００５６】
このように、決済部１４０は、支援者から寄付を行う旨の操作が行われた場合に、即座に決済処理を行うので、支援者から受援者への迅速な寄付を実現することができる。なお、決済部１４０は、第１決済処理を行う第１決済部と、管理口座に金銭が振り込まれたか否かを監視する監視部と、第２決済処理を行う第２決済部とに分別されてもよい。また、決済部１４０は、定期的に寄付記憶部１２３を参照し、寄付が有効であるレコードを取得して決済処理を行ってもよい。
【００５７】
なお、上記では説明を省略したが、支援者は、ログイン画面Ｇ２０からログインした後に、ユーザ情報を変更したり、寄付記憶部１２３に記憶されている寄付の内容（寄付金額や継続有無など）を変更したりすることができる。同様に、受援者は、ユーザ情報を変更することができる。
【００５８】
また、寄付支援装置１００は、支援者と受援者とがメッセージを交換できる機能を有してもよい。例えば、支援者は、受援者の受援目的が分かりにくかった場合に、受援者とメッセージを交換することにより、受援目的を詳細に把握することが可能となる。また、例えば、例えば、受援者は、既に支援者から寄付を受け取っている場合に、かかる支援者に対して、感謝のメッセージを送信することができる。
【００５９】
また、寄付支援装置１００は、メッセージ交換機能に加えて、受援者が支援者を検索するための検索機能を有してもよい。これにより、受援者は、受援目的と合致する支援目的の支援者を検索し、かかる支援者とメッセージを交換することで寄付を求めることができる。
【００６０】
（２）見込み金額算出処理
次に、見込み金額算出処理について説明する。Ｗｅｂ制御部１３０の算出部１３３は、受援者がログイン画面Ｇ２０からログインした後に見込み金額表示メニュー等を選択した場合に、翌月の見込み金額を算出する。具体的には、算出部１３３は、寄付記憶部１２３に記憶されている寄付金額のうち、見込み金額表示メニューを選択した受援者の受援者ＩＤに対応し、かつ、継続有無が「毎月１回」であり、かつ、有効無効が有効である寄付金額を取得する。そして、算出部１３３は、取得した寄付金額の総和を翌月の見込み金額として算出する。
【００６１】
そして、出力部１３４は、算出部１３３によって算出された見込み金額を寄付見込み画面に表示する。これにより、受援者は、寄付見込み画面を閲覧することで、今後の予定を検討することができる。
【００６２】
なお、算出部１３３による算出処理は、上記例に限られない。算出部１３３は、翌月以降の見込み金額を算出してもよい。例えば、図１２に例示した金額入力画面Ｇ６０において、「毎月継続」が選択された際に、寄付を行う期間が入力可能であってもよい。そして、寄付記憶部１２３は、金額入力画面Ｇ６０において入力された寄付期間を記憶してもよい。かかる場合に、算出部１３３は、寄付期間に基づいて、翌月以降の見込み金額を算出してもよい。
【００６３】
一例を挙げて説明すると、例えば、寄付記憶部１２３に、寄付金額「１０００円」と継続有無「毎月１回」と寄付期間「２０１２年８月〜２０１３年３月」とが対応付けて記憶されているとともに、寄付金額「２０００円」と継続有無「毎月１回」と寄付期間「２０１２年８月〜２０１２年１０月」とが対応付けて記憶されているものとする。この例の場合、算出部１３３は、「２０１２年８月〜２０１２年１０月」の毎月の見込み金額として「３０００円（１０００円＋２０００円）」を算出し、「２０１２年１１月〜２０１３年３月」の毎月の見込み金額として「１０００円」を算出する。
【００６４】
そして、出力部１３４は、算出部１３３により算出された月別の見込み金額を図１３に示した寄付見込み画面Ｇ７０に表示する。図１３に示すように、寄付見込み画面Ｇ７０には、翌月の見込み金額が表示される表示欄Ｆ７１と、月毎の見込み金額が表示される一覧Ｆ７２と、トップ画面Ｇ１０等に戻るための戻るボタンＦ７３とが含まれる。受援者は、このような寄付見込み画面Ｇ７０を閲覧することにより、翌月だけでなく、翌月以降の長期的な見込み金額を認識することができるので、より安心して今後の予定を検討することができる。
【００６５】
なお、上述したＷｅｂ制御部１３０及び決済部１４０は、例えば、ＣＰＵ（Central  Processing  Unit）やＭＰＵ（Micro  Processing  Unit）等によって、図示しない記憶装置に記憶されているプログラム（寄付支援プログラムの一例に相当）がＲＡＭを作業領域として実行されることにより実現される。
【００６６】
［第１の実施形態に係る寄付処理手順］
次に、図１４を用いて、第１の実施形態に係る寄付システム１による寄付処理の手順について説明する。図１４は、第１の実施形態に係る寄付システム１による寄付処理手順を示すシーケンス図である。
【００６７】
図１４に示すように、寄付支援装置１００のＷｅｂ制御部１３０は、支援者装置１０からアクセスされた場合に（ステップＳ１０１）、トップ画面Ｇ１０を支援者装置１０に送信する（ステップＳ１０２）。
【００６８】
続いて、Ｗｅｂ制御部１３０は、トップ画面Ｇ１０において支援者入口ボタンＦ１１が支援者により押下された場合に（ステップＳ１０３）、ログイン画面Ｇ２０を支援者装置１０に送信する（ステップＳ１０４）。
【００６９】
続いて、寄付支援装置１００の特定部１３１は、ログイン画面Ｇ２０において支援者ＩＤ及びパスワードが入力されることでログイン操作が行われた場合に（ステップＳ１０５）、受援者検索画面Ｇ４０を支援者装置１０に送信する（ステップＳ１０６）。
【００７０】
続いて、特定部１３１は、受援者検索画面Ｇ４０において各種検索項目が入力されることで検索操作が行われた場合に（ステップＳ１０７）、入力された各種情報と合致する受援者のユーザ情報が表示される検索結果画面Ｇ５０を支援者装置１０に送信する（ステップＳ１０８）。
【００７１】
続いて、受付部１３２は、検索結果画面Ｇ５０において受援対象者が選択された場合に（ステップＳ１０９）、金額入力画面Ｇ６０を支援者装置１０に送信する（ステップＳ１１０）。そして、受付部１３２は、かかる金額入力画面Ｇ６０において寄付金額及び継続有無が入力された場合に（ステップＳ１１１）、寄付記憶部１２３を更新する。具体的には、受付部１３２は、ステップＳ１０５においてログインした支援者の支援者ＩＤと、検索結果画面Ｇ５０において選択された受援対象者の受援者ＩＤと、金額入力画面Ｇ６０において入力された寄付金額及び継続有無とを対応付けて寄付記憶部１２３に格納する。
【００７２】
そして、決済部１４０は、金額入力画面Ｇ６０に寄付金額及び継続有無が入力された際に、かかる寄付金額に対応する金銭を支援者から受援対象者に送金する決済処理を即座に行う（ステップＳ１１２）。
【００７３】
［第１の実施形態に係る見込み金額算出手順］
次に、図１５を用いて、第１の実施形態に係る寄付システム１による見込み金額算出処理の手順について説明する。図１５は、第１の実施形態に係る寄付システム１による見込み金額算出処理手順を示すシーケンス図である。
【００７４】
図１５に示すように、寄付支援装置１００のＷｅｂ制御部１３０は、受援者装置２０からアクセスされた場合に（ステップＳ２０１）、トップ画面Ｇ１０を受援者装置２０に送信する（ステップＳ２０２）。
【００７５】
続いて、Ｗｅｂ制御部１３０は、トップ画面Ｇ１０において受援者入口ボタンＦ１２が受援者により押下された場合に（ステップＳ２０３）、ログイン画面Ｇ２０を受援者装置２０に送信する（ステップＳ２０４）。
【００７６】
続いて、寄付支援装置１００の算出部１３３は、ログイン画面Ｇ２０においてログインされた後に（ステップＳ２０５）、見込み金額表示メニューが選択された場合に（ステップＳ２０６）、寄付記憶部１２３を参照することにより、見込み金額を算出する（ステップＳ２０７）。そして、出力部１３４は、算出部１３３によって算出された見込み金額が表示される寄付見込み画面を受援者装置２０に送信する（ステップＳ２０８）。
【００７７】
［第１の実施形態の効果］
上述してきたように、第１の実施形態に係る寄付支援装置１００は、支援者記憶部１２１と、受援者記憶部１２２と、特定部１３１と、受付部１３２と、決済部１４０とを有する。支援者記憶部１２１は、寄付を行う支援者に関する情報を記憶する。受援者記憶部１２２は、寄付される受援者に関する情報を記憶する。特定部１３１は、支援者記憶部１２１に記憶されている受援者から、支援者から寄付を受け取る受援対象者を特定する。受付部１３２は、受援対象者に対する寄付の寄付金額と、かかる寄付を継続的に行うか否かを示す継続有無とを受け付ける。決済部１４０は、受付部１３２によって寄付金額及び継続有無が受け付けられた際に、かかる継続有無に基づいて、かかる寄付金額の金銭を支援者から受援対象者に送金する旨の決済を行う。
【００７８】
これにより、第１の実施形態に係る寄付支援装置１００は、支援者から寄付を希望する旨の要求を受け付けた際に決済処理を即座に行うので、支援者から受援者への寄付を迅速に行うことができる。また、寄付支援装置１００は、福祉団体等を介さずに寄付を実現するので、支援者から受援者への寄付を迅速に行うことができるとともに、送金先の透明性を確保することができる。この結果、寄付支援装置１００は、支援者及び受援者にとって利便性の高い寄付を実現することができる。
【００７９】
また、第１の実施形態に係る寄付支援装置１００は、算出部１３３と、出力部１３４とを有する。算出部１３３は、受付部１３２によって受け付けられた寄付金額及び継続有無に基づいて、受援対象者に今後寄付される見込み金額を算出する。出力部１３４は、算出部１３３によって算出された見込み金額を受援対象者に出力する。
【００８０】
これにより、第１の実施形態に係る寄付支援装置１００は、見込み金額を受援者に認識させることができる。このため、受援者は、今後の予定を安心して検討することができる。この結果、第１の実施形態に係る寄付支援装置１００は、受援者にとって利便性の高い寄付を実現することができる。
【００８１】
［変形例（１）］
なお、第１の実施形態に係る寄付支援装置１００による処理は上記例に限られない。例えば、算出部１３３は、受援者記憶部１２２に記憶されている受援目的に応じて、見込み金額を変動させてもよい。
【００８２】
例えば、算出部１３３は、受援者記憶部１２２の受援目的に「手術を行うので寄付をお願いします」といった情報が記憶されている場合に、年月が経過するほど低くなる見込み金額を算出してもよい。これは、支援者が手術目的で寄付を行う場合、かかる寄付を継続して行う可能性が低いからである。一例を挙げて説明すると、算出部１３３は、翌月の見込み金額を「１０万円」と算出した場合には、２ヶ月先の見込み金額を「９万円」と算出し、３ヶ月先の見込み金額を「８万円」などと算出してもよい。
【００８３】
また、例えば、算出部１３３は、受援者記憶部１２２の受援目的に「オリンピックにマラソン選手として出場したいので、スポンサーになってください」といった情報が記憶されている場合に、オリンピックが開催されるまでの月については、寄付記憶部１２３に記憶されている寄付金額の総和を見込み金額として算出し、オリンピック閉幕以降の月については、かかる見込み金額を大きく減額してもよい。これは、支援者がオリンピック出場を応援する目的で寄付を行う場合、オリンピックが閉幕した後には寄付を継続して行う可能性が低いからである。
【００８４】
このように、算出部１３３は、受援目的を考慮することにより、精度良く見込み金額を算出することができる。これにより、受援対象者は、精度良く算出された見込み金額に基づいて、より安心して今後の予定を検討することができる。
【００８５】
［変形例（２）］
また、算出部１３３は、支援者記憶部１２１に記憶されている支援者のユーザ属性と、受援者記憶部１２２に記憶されている受援対象者のユーザ属性とに基づいて、見込み金額を変動させてもよい。例えば、算出部１３３は、支援者のユーザ属性と受援対象者のユーザ属性とに基づいて、支援者と受援対象者との相関を予測し、予測した相関が高いほど見込み金額を高く算出してもよい。これは、支援者が、ユーザ属性が類似する受援者に対して、長い期間継続して寄付する可能性があり、また、寄付金額を上げる可能性もあるからである。例えば、支援者は、支援者自身と似たような境遇の受援者に共感する可能性が高い。すなわち、支援者は、支援者自身と似たような境遇の受援者に対して、長い期間継続して高額の寄付を行う可能性がある。
【００８６】
ここで、変形例（２）における算出部１３３の処理について説明する。上記の通り、支援者記憶部１２１には、支援者のユーザ属性（氏名、性別、生年月日、住所、職業、趣味など）が記憶され、受援者記憶部１２２には、受援者のユーザ属性が記憶される。算出部１３３は、このような支援者のユーザ属性と受援者のユーザ属性との類似度を算出する。例えば、算出部１３３は、支援者と受援者とが同一の性別であるか否かを判定したり、支援者と受援者とが同一の都道府県に住んでいるか否かを判定したり、支援者と受援者とが同一の趣味を有しているか否かを判定したりする。そして、算出部１３３は、各ユーザ属性の類似度が高いほど、支援者及び受援対象者の相関が高いと判定し、各ユーザ属性の類似度が低いほど、支援者及び受援対象者の相関が低いと判定する。そして、算出部１３３は、かかる相関が高いほど見込み金額を高く算出する。
【００８７】
このように、算出部１３３は、支援者及び受援対象者の相関を考慮することで、精度良く見込み金額を算出することができる。これにより、受援対象者は、精度良く算出された見込み金額に基づいて、より安心して今後の予定を検討することができる。
【００８８】
［変形例（３）］
また、算出部１３３は、受援者記憶部１２２に記憶されている受援対象者のユーザ属性に基づいて受援対象者の知名度を予測し、予測した知名度が高いほど見込み金額を高く算出してもよい。これは、支援者が、受援対象者の知名度が高いほど、長い期間継続して寄付する可能性があり、また、寄付金額を上げる可能性もあるからである。
【００８９】
ここで、変形例（３）における算出部１３３の処理について説明する。例えば、算出部１３３は、受援対象者の職業に基づいて、受援対象者の知名度を予測する。一例を挙げて説明すると、算出部１３３は、受援対象者の職業が「歌手」である場合には、受援対象者の知名度が高いと予測し、受援対象者の職業が「学生」や「会社員」である場合には、受援対象者の知名度が低いと予測する。また、例えば、算出部１３３は、ネットワーク上に存在する検索エンジンを用いて、受援対象者の氏名及び年齢等を検索し、検索された件数が多いほど受援対象者の知名度が高いと予測してもよい。そして、算出部１３３は、かかる知名度が高いほど見込み金額を高く算出する。
【００９０】
このように、算出部１３３は、受援対象者の知名度を考慮することで、精度良く見込み金額を算出することができる。これにより、受援対象者は、精度良く算出された見込み金額に基づいて、より安心して今後の予定を検討することができる。
【００９１】
［変形例（４）］
また、算出部１３３は、寄付記憶部１２３に記憶されている支援者による寄付の履歴に基づいて、かかる支援者によって過去に行われた寄付の継続率を算出し、算出した継続率が高いほど見込み金額を高く算出してもよい。これは、過去に行われた寄付の継続率が高い支援者は、今後も高い継続率で寄付を行う可能性があるからである。
【００９２】
ここで、変形例（４）における算出部１３３の処理について説明する。例えば、算出部１３３は、支援者毎に、寄付記憶部１２３に記憶されているレコードを取得し、全レコードに対する継続有無「毎月１回」のレコード数の割合を継続率として算出する。そして、算出部１３３は、かかる継続率が高いほど見込み金額を高く算出する。また、例えば、寄付記憶部１２３に寄付期間が記憶されている場合には、算出部１３３は、支援者毎に、寄付期間の平均を算出してもよい。そして、算出部１３３は、かかる寄付期間の平均が長いほど見込み金額を高く算出してもよい。
【００９３】
このように、算出部１３３は、支援者の過去の寄付実績を考慮することで、精度良く見込み金額を算出することができる。これにより、受援対象者は、精度良く算出された見込み金額に基づいて、より安心して今後の予定を検討することができる。
【００９４】
（第２の実施形態）
第２の実施形態では、見込み金額とともに、不足することが予測される不足寄付金額を受援者に出力するとともに、不足寄付金額を寄付する確度の高い支援者を受援者に紹介する例について説明する。なお、第２の実施形態に係る寄付システム１の構成は、図１と同様であるので、以下では説明を省略する。
【００９５】
［第２の実施形態に係る寄付支援装置の構成］
図１６は、第２の実施形態に係る寄付支援装置２００の構成例を示す図である。図１６に例示するように、寄付支援装置２００のＷｅｂ制御部２３０は、出力部２３４と、検索部２３５とを有する。
【００９６】
検索部２３５は、受援対象者に紹介する支援者を検索する。具体的には、検索部２３５は、寄付記憶部１２３を参照することにより、受援対象者が過去に寄付された寄付金額の実績を算出する。例えば、検索部２３５は、受援対象者が今月に寄付された寄付金額の実績を算出する。続いて、検索部２３５は、かかる寄付金額の実績と、算出部１３３によって算出された翌月の見込み金額とを比較する。そして、検索部２３５は、寄付金額の実績よりも見込み金額の方が低い場合に、寄付金額の実績と見込み金額との差分を不足寄付金額として算出する。そして、検索部２３５は、寄付記憶部１２３に記憶されている支援者の寄付実績に基づいて、かかる不足寄付金額を寄付する確度の高い支援者を寄付記憶部１２３から検索する。
【００９７】
一例を挙げて説明する。例えば、検索部２３５は、受援対象者Ｂ２０１が今月に寄付された寄付金額の実績として「３０００円」を算出したものとする。また、算出部１３３によって、受援対象者Ｂ２０１の翌月の見込み金額「２０００円」が算出されたものとする。かかる場合に、検索部２３５は、寄付金額の実績「３０００円」から見込み金額「２０００円」を減算することにより、不足寄付金額「１０００円」を算出する。そして、検索部２３５は、寄付記憶部１２３を参照することにより、支援者毎に、かかる支援者が過去に寄付した寄付金額（例えば、寄付金額の月平均）を算出する。そして、検索部２３５は、不足寄付金額「１０００円」を寄付する確度の高い支援者を寄付記憶部１２３から検索する。
【００９８】
例えば、支援者Ａ１０１が、毎月平均して「３０００円」を寄付していたが、直近では「１０００円」しか寄付していないものとする。この場合、支援者Ａ１０１は、受援対象者を探している可能性がある。このため、検索部２３５は、平均寄付金額と直近の平均寄付金額との差額が不足寄付金額よりも高い支援者Ａ１０１のような支援者の候補を寄付記憶部１２３から検索する。
【００９９】
そして、出力部２３４は、算出部１３３によって算出された見込み金額とともに、検索部２３５によって検索された支援者の候補を出力する。具体的には、出力部２３４は、図１７に示した寄付見込み画面Ｇ８０を受援者装置２０に送信する。図１７に示すように、寄付見込み画面Ｇ８０には、翌月の見込み金額が表示される表示欄Ｆ８１と、月毎の見込み金額が表示される一覧Ｆ８２と、支援者の候補が表示される表示欄Ｆ８３と、トップ画面Ｇ１０等に戻るための戻るボタンＦ８４とが含まれる。
【０１００】
図１７に示した例において、出力部２３４は、算出部１３３によって算出された見込み金額を表示欄Ｆ８１に表示する。また、出力部２３４は、算出部１３３によって算出された月毎の見込み金額と、検索部２３５によって算出された月毎の不足寄付金額とを一覧Ｆ８２に表示する。そして、出力部２３４は、検索部２３５によって検索された支援者の候補を表示欄Ｆ８３に表示する。
【０１０１】
受援者は、このような寄付見込み画面Ｇ８０を閲覧することにより、今後の不足寄付金額を認識することができるとともに、かかる不足寄付金額を寄付してくれる可能性の高い支援者を認識することができる。なお、支援者は、寄付見込み画面Ｇ８０の表示欄Ｆ８３に表示されている「支援者の氏名（「支援２１」など）」を押下することにより、かかる支援者に対してメッセージを送信することができる。これにより、支援者は、寄付をしてくれる可能性の高い支援者に対して寄付を求めることができる。
【０１０２】
［第２の実施形態の効果］
上述してきたように、第２の実施形態に係る寄付支援装置２００は、寄付記憶部１２３と、出力部２３４と、検索部２３５とを有する。そして、寄付記憶部１２３は、支援者に関する情報として、かかる支援者によって過去に行われた寄付の履歴を記憶する。また、寄付記憶部１２３は、受援者に関する情報として、かかる受援者が過去に受け付けた寄付の履歴を記憶する。例えば、寄付記憶部１２３は、「有効無効」が無効であるレコードを寄付の履歴として記憶する。また、検索部２３５は、受援対象者が過去の所定期間に寄付された寄付金額の実績よりも見込み金額の方が低い場合に、寄付金額の実績と見込み金額との差分である不足寄付金額を寄付する確度の高い支援者を支援者記憶部１２１から検索する。また、出力部２３４は、見込み金額とともに、検索部２３５によって検索された支援者を出力する。
【０１０３】
これにより、第２の実施形態に係る寄付支援装置２００は、不足寄付金額を受援者に認識させることができるとともに、かかる不足寄付金額を寄付してくれる可能性の高い支援者を受援者に認識させることができる。これにより、受援者は、寄付金額が今後不足する可能性がある場合に、かかる不足金額分を寄付する可能性の高い支援者に対して寄付を求めることができる。このように、寄付支援装置２００は、受援者にとって利便性の高い寄付を実現することができる。
【０１０４】
［変形例］
上記第２の実施形態において、検索部２３５は、受援者の不足寄付金額を寄付する確度が高く、かつ、かかる受援者との相関が高い支援者を検索してもよい。具体的には、検索部２３５は、上記第１の実施形態における変形例（２）と同様に、支援者記憶部１２１に記憶されている支援者のユーザ属性と、受援者記憶部１２２に記憶されている受援対象者のユーザ属性とに基づいて、受援者の不足寄付金額を寄付する確度が高い各支援者と、不足寄付金額が発生している受援者との相関を予測する。そして、検索部２３５は、予測した相関が高い支援者を選択する。
【０１０５】
これにより、出力部２３４は、不足寄付金額が発生している受援者に対して、かかる不足寄付金額を寄付する確度がより高い支援者を寄付見込み画面Ｇ８０に表示させることができる。このため、受援者は、寄付をしてくれる可能性がより高い支援者に対して寄付を求めることができる。
【０１０６】
（第３の実施形態）
上述した各実施形態に係る寄付支援装置は、上記実施形態以外にも種々の異なる形態にて実施されてよい。そこで、第３の実施形態では、上記の寄付支援装置の他の実施形態について説明する。
【０１０７】
［受援対象者の特定］
上記実施形態では、特定部１３１が、検索結果画面Ｇ５０において支援者に選択された受援者を受援対象者として特定する例を示した。しかし、特定部１３１は、支援者に選択させることなく、受援対象者を自動的に特定してもよい。
【０１０８】
例えば、特定部１３１は、支援者の支援目的と合致する受援目的の受援者を受援対象者として自動的に特定してもよい。具体的には、特定部１３１は、受援者検索画面Ｇ４０や検索結果画面Ｇ５０に「お任せ寄付」といったボタンを表示する。そして、特定部１３１は、かかるお任せ寄付ボタンが支援者に押下された場合に、かかる支援者の支援目的と合致する受援者を受援者記憶部１２２から検索し、検索した受援者のいずれかを受援対象者として特定する。これにより、支援者は、受援者を選択する操作を行うことなく、支援者自身の支援目的に合致する受援者に対して寄付を行うことができる。
【０１０９】
また、例えば、特定部１３１は、支援者との相関が高い受援者を受援対象者として自動的に特定してもよい。これにより、支援者は、受援者を選択する操作を行うことなく、支援者自身と境遇が似ている受援者に対して寄付を行うことができる。例えば、特定部１３１が、出身地の近い支援者と受援者との相関が最も高く、かかる受援者を受援対象者として特定したものとする。この場合、支援者は、同郷への寄付を行うことができる。
【０１１０】
また、例えば、特定部１３１は、詳細情報等の閲覧数が少ない受援者を優先して受援対象者として特定してもよい。また、例えば、特定部１３１は、寄付金額の少ない受援者を優先して受援対象者として特定してもよい。また、例えば、受援者が寄付を求める緊急度をユーザ登録できる場合には、特定部１３１は、かかる緊急度が高い受援者を優先して受援対象者として特定してもよい。
【０１１１】
［受援者の推薦］
また、上記実施形態において、寄付支援装置１００（又は、寄付支援装置２００）は、受援者が寄付を受け取ることを停止する機能を有してもよい。例えば、Ｗｅｂ制御部１３０（又は、Ｗｅｂ制御部２３０）は、受援者がログイン画面Ｇ２０からログインした後に、「寄付の受け取り停止」といったメニューを表示してもよい。そして、Ｗｅｂ制御部１３０（又は、Ｗｅｂ制御部２３０）は、受援者によって「寄付の受け取り停止」メニューが押下された場合には、寄付記憶部１２３を参照することにより、かかる受援者が現時点で受け取っている寄付を一覧表示し、かかる一覧から停止する寄付を受援者に選択させる。そして、Ｗｅｂ制御部１３０（又は、Ｗｅｂ制御部２３０）は、選択された寄付に対応する寄付記憶部１２３の有効無効を「無効」に更新する。なお、Ｗｅｂ制御部１３０（又は、Ｗｅｂ制御部２３０）は、寄付を停止した受援者から支援者に対するメッセージを入力させてもよい。
【０１１２】
これにより、寄付を受け取っている受援者は、十分な寄付金額を確保できた場合に、寄付を断ることができる。また、受援者は、十分な寄付金額を確保できている場合に、新規の支援者からの寄付を断ることができる。
【０１１３】
また、寄付支援装置２００は、寄付を停止した受援者に対して、他の受援者を紹介してもよい。具体的には、検索部２３５は、受援者記憶部１２２に記憶されている受援対象者のユーザ属性に基づいて、寄付を停止した受援者と相関の高い他の受援者を検索する。そして、出力部２３４は、寄付を停止した受援者に対して、検索部２３５によって検索された他の受援者が表示される紹介画面を送信する。これにより、受援者は、受援者自身と境遇が似ている他の受援者を認識することができる。この結果、受援者は、上述したメッセージ交換機能等を用いることにより、受援者自身に対する寄付が断られた支援者に対して、受援者自身と境遇が似ている他の受援者を紹介することができる。すなわち、受援者から寄付が断られた支援者は、かかる受援者と境遇が似ている他の受援者に対して、寄付を行うことが可能となる。
【０１１４】
［ユーザ属性の重み付け］
また、上記実施形態では、支援者と受援者との相関や、受援者間の相関などを予測する例を示した。ここで、寄付支援装置１００（又は、寄付支援装置２００）は、各ユーザ属性について重み付けをした上で相関を予測してもよい。例えば、寄付支援装置１００（又は、寄付支援装置２００）は、性別の重みを高くして相関などを予測してもよいし、職業や収入の重みを高くして相関などを予測してもよいし、出身地の重みを高くして相関などを予測してもよい。また、寄付支援装置１００（又は、寄付支援装置２００）は、ユーザ属性毎の重みを支援者や受援者に指定させてもよい。
【０１１５】
［継続有無］
また、上記実施形態では、継続有無が「毎月継続（毎月１回）」又は「１回のみ」である例を示した。しかし、この例に限られず、継続有無は、「毎週継続（毎週１回）」や「２週間に１回」などが含まれてもよい。
【０１１６】
また、上記実施形態では、算出部１３３が月別の見込み金額を算出する例を示した。しかし、この例に限られず、算出部１３３は、週別の見込み金額を算出してもよいし、２週間毎の見込み金額を算出してもよい。
【０１１７】
［クレジットカード］
上記実施形態では、決済部１４０が支援者の出金口座から受援対象者の入金口座に寄付金額に対応する金銭を送金する決済を行う例を示した。しかし、上記の通り、支援者記憶部１２１には、「クレジットカード番号」が記憶されてもよい。したがって、決済部１４０は、クレジットカード決済処理を行ってもよい。これにより、決済部１４０は、銀行振り込みの手数料を支援者に負担させることなく決済処理を行うことができる。
【０１１８】
また、寄付支援装置１００（又は、寄付支援装置２００）は、支援者に対して、受援対象者毎に「銀行振り込み」又は「クレジットカード決済」のいずれかを選択させてもよい。これにより、支援者は、クレジットカードの利用限度額を超える場合には、「銀行振り込み」を選択することができる。
【０１１９】
［手数料］
また、上記実施形態において、寄付支援装置１００（又は、寄付支援装置２００）は、寄付を行う支援者から手数料を徴収してもよい。この場合、寄付支援装置１００（又は、寄付支援装置２００）は、支援者に指定された寄付金額から手数料を徴収するのではなく、寄付金額に加えて手数料を徴収してもよい。これにより、支援者は、メッセージ性のある寄付金額を受援対象者に寄付することができる。例えば、支援者が、スポーツ選手である受援対象者に寄付する場合に、かかる受援対象者の背番号を想像させる金額を寄付するものとする。かかる場合に、支援者は、受援対象者の背番号を想像させる金額（例えば、５５００円など）と別に手数料を支払うことにより、背番号を想像させる金額「５５００円」を受援対象者に寄付することができる。
【０１２０】
［システム構成］
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、図２、図４〜図１３、図１７等に示した各種情報は、図示した情報に限られない。
【０１２１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２２】
例えば、寄付記憶部１２３は、支援者記憶部１２１及び受援者記憶部１２２に統合されてもよい。すなわち、支援者記憶部１２１は、支援者が寄付している内容及び履歴として、支援者ＩＤに対応付けて、図６に示した「受援者ＩＤ」、「寄付金額」、「継続有無」、「有効無効」を記憶してもよい。また、受援者記憶部１２２は、受援者が受け取っている寄付の内容及び履歴として、受援者ＩＤに対応付けて、図６に示した「支援者ＩＤ」、「寄付金額」、「継続有無」、「有効無効」を記憶してもよい。
【符号の説明】
【０１２３】
１  寄付システム
１０  支援者装置
２０  受援者装置
１００  寄付支援装置
１２１  支援者記憶部
１２２  受援者記憶部
１２３  寄付記憶部
１３０  Ｗｅｂ制御部
１３１  特定部
１３２  受付部
１３３  算出部
１３４  出力部
１４０  決済部
２００  寄付支援装置
２３０  Ｗｅｂ制御部
２３４  出力部
２３５  検索部
【図１】
2014021729.tif 000003
【図２】
2014021729.tif 000004
【図３】
2014021729.tif 000005
【図４】
2014021729.tif 000006
【図５】
2014021729.tif 000007
【図６】
2014021729.tif 000008
【図７】
2014021729.tif 000009
【図８】
2014021729.tif 000010
【図９】
2014021729.tif 000011
【図１０】
2014021729.tif 000012
【図１１】
2014021729.tif 000013
【図１２】
2014021729.tif 000014
【図１３】
2014021729.tif 000015
【図１４】
2014021729.tif 000016
【図１５】
2014021729.tif 000017
【図１６】
2014021729.tif 000018
【図１７】
2014021729.tif 000019